(57)【要約】【課題】シャフト１２の回転方向を一見して把握できる建物用筋交いを提供する。【解決手段】互いに方向の異なる雄ネジ１６（１６Ｒ，１６Ｌ）がその軸方向両端部外周に形成されている長尺のシャフト１２と、各雄ネジ１６（１６Ｒ，１６Ｌ）に螺装されている左右一対の羽子板１４（１４Ｒ，１４Ｌ）とを備える建物用筋交い１０であって、シャフト１２の回転方向を示す表示２０がシャフト１２の表面または羽子板１４（１４Ｒ，１４Ｌ）の表面の少なくとも何れか一方に設けられていることを特徴とする。この考案によれば、作業者は、シャフト１２の表面または羽子板１４（１４Ｒ，１４Ｌ）の表面の少なくとも何れか一方に設けられている表示２０を確認するだけで、シャフト１２の回転方向を直ちに把握することができ、迅速な施工が求められる施工現場において作業効率を高め、施工時間を短縮することが可能となる。【選択図】図１
0003131604.tif 000002
【実用新案登録請求の範囲】
【請求項１】
互いに方向の異なる雄ネジがその両側端部に形成されている長尺のシャフトと、前記各雄ネジに螺装されている左右一対の羽子板とを備える建物用筋交いであって、
前記シャフトの回転方向を示す表示が前記シャフトの表面または前記羽子板の表面の少なくとも何れか一方に設けられていることを特徴とする建物用筋交い。
【請求項２】
前記表示は、矢印であることを特徴とする請求項１に記載の建物用筋交い。
【請求項３】
前記シャフトの前記雄ネジ近傍には、工具掛止用の掛止部が設けられており、
該掛止部の表面に前記表示が設けられていることを特徴とする請求項１または２に記載の建物陽筋交い。
【請求項４】
前記羽子板には、前記シャフトの螺入度合いを確認するための確認窓が設けられており、
該確認窓の近傍に前記表示が設けられていることを特徴とする請求項１から３の何れかに記載の建物用筋交い。
【考案の詳細な説明】
【技術分野】
【０００１】
本考案は、建物の梁や柱の強度を高めるのに用いられる建物用筋交いに関する。
【背景技術】
【０００２】
従来から、建物の梁や柱の強度を高めることを目的として、建物用筋交いと呼ばれる補強部材を梁や柱の入隅間に斜めに架け渡すことが一般に行われている（例えば、非特許文献１参照）。
【０００３】
この従来の建物用筋交いは、互いに方向の異なる左・右雄ネジがその両側端部に形成されている長尺のシャフトと、前記各雄ネジに螺装されている左右一対の羽子板とで大略構成されている。
【０００４】
建物用筋交いを使用する際には、予め建物用筋交いの全長を取り付け対象箇所に合わせてある程度調整しておき、使用に際しては、梁や柱の入隅間に羽子板を固定し、続いてスパナ等の工具を用いてシャフトを締め込む方向に回転させると、左・右雄ネジが羽子板内に同時に螺進し、羽子板間の建物用筋交いの全長が短くなって建物用筋交い全体が緊張して梁や柱と建物用筋交いによる強固な三角形が梁間や柱間に構成され、これによって梁や柱に加わる力（例えば、地震或いは構造物自体の自重）に対する抵抗力が高められるのである。
【非特許文献１】インターネット＜ＵＲＬ：http://www.minatoseiki.co.jp/hb/hb_index.htm＞
【考案の開示】
【考案が解決しようとする課題】
【０００５】
建物用筋交いは、上述したように固定された羽子板に対してシャフトを締め付け方向に回転させることによって建物用筋交い全体を緊張させ、この緊張力によって梁や柱を前述のように補強するものであるが、シャフトをどちらの方向に回転させれば建物用筋交いに緊張力を生じさせることができるか（換言すれば、シャフトをどちらの方向に回転させればシャフトが羽子板内に螺進するか）を判断するためには、シャフトの両側に刻設されている左・右雄ネジの方向をその都度確認する必要があった。
【０００６】
ところが、迅速な施工が求められる施工現場において左・右雄ネジの方向をいちいち確認していたのでは作業効率が非常に悪く、コスト削減の要請に反する結果となる。
【０００７】
とりわけ、天井や２、３階部分のような高所作業を行なう場合には、左・右雄ネジの方向をゆっくりと確認している余裕などなく、実際の作業現場では、実際にシャフトを回転させることによってシャフトの回転方向を確認するという非効率的な作業が行なわれている実態があり、これを改善する技術の登場が強く望まれていた。
【０００８】
本願考案は、かかる従来の問題点に鑑みてなされたものであり、シャフトを羽子板内に螺入するために必要なシャフトの回転方向を一見して把握できる建物用筋交いを提供することになる。
【課題を解決するための手段】
【０００９】
請求項１に記載した考案は、「互いに方向の異なる雄ネジ１６（１６Ｒ，１６Ｌ）がその両側端部に形成されている長尺のシャフト１２と、各雄ネジ１６（１６Ｒ，１６Ｌ）に螺装されている左右一対の羽子板１４（１４Ｒ，１４Ｌ）とを備える建物用筋交い１０であって、シャフト１２の回転方向を示す表示２０がシャフト１２の表面または羽子板１４（１４Ｒ，１４Ｌ）の表面の少なくとも何れか一方に設けられている」ことを特徴とする建物用筋交い１０である。
【００１０】
この考案によれば、作業者は、シャフト１２の表面または羽子板１４（１４Ｒ，１４Ｌ）の表面の少なくとも何れか一方に設けられている表示２０を確認するだけで、シャフト１２の回転方向を直ちに把握することができる。
【００１１】
なお、本明細書において「シャフト１２の回転方向」とは、シャフト１２の両端に形成されている各雄ネジ１６（１６Ｒ，１６Ｌ）を羽子板１４内に螺入させるために必要なシャフト１２の回転方向のことをいう。
【００１２】
表示２０の具体例としては、請求項２に記載の考案のような「矢印２０ａ」が挙げられる。
【００１３】
請求項３に記載の考案は、「シャフト１２の雄ネジ１６（１６Ｒ，１６Ｌ）近傍には、工具掛止用の掛止部１８が設けられており、該掛止部１８の表面に表示２０が設けられている」ことを特徴とするものである。
【００１４】
スパナなどの工具を用いてシャフト１２を回転させるためには、作業者は必ず工具を掛止部１８に掛止する。したがって、この掛止部１８の表面に表示２０を設けておけば、作業者はスパナ掛けをする際に表示２０を必ず目にすることとなるので、シャフト１２の回転方向を簡単且つ確実に把握することが可能となる。なお、掛止部１８の表面への表示２０はスパナ掛けの邪魔にならないように掘り込み或るいは印刷その他によって形成される。
【００１５】
請求項４に記載の考案は、「羽子板１４には、シャフト１２の螺入度合いを確認するための確認窓２２が設けられており、該確認窓２２の近傍に表示２０が設けられている」ことを特徴とするものである。
【００１６】
建物用筋交い１０の長さを調整したり、シャフト１２を回転させて建物用筋交い１０全体を緊張させる際、作業者は必ず羽子板１４に設けられている確認窓２２を通してシャフト１２の螺入度合いを確認することとなる。したがって、この確認窓２２の近傍に表示２０を設けておけば、作業者は上記長さの調整作業やシャフト１２の回転作業をする際に表示２０を必ず目にすることになるので、シャフト１２の回転方向を簡単且つ確実に把握することが可能となる。
【考案の効果】
【００１７】
本考案によれば、作業者はシャフトの回転方向を一見して把握することができるので、迅速な施工が求められる施工現場において作業効率を高め、施工時間を短縮することが可能となる。
【考案を実施するための最良の形態】
【００１８】
以下、本考案を図面に従って説明する。なお、図１は、本考案における第１実施例の建物用筋交い１０を示す正面図である。図２は、シャフト１２を示す正面図であり、図３は図２におけるＡ−Ｂ拡大図である。また、図４（Ａ）は、羽子板１４を示す正面図であり、図４（Ｂ）は、その平面図である。
【００１９】
図１に示すように、本考案の建物用筋交い１０は、シャフト１２と、左右一対の羽子板１４（１４Ｒ，１４Ｌ）とで大略構成されている。
【００２０】
シャフト１２は、鋼材などの高剛性材料からなる長尺の丸棒状部材であり、その軸方向両端部外周には、互いに方向の異なる雄ネジ１６（１６Ｒ，１６Ｌ）がそれぞれ刻設されている（図２参照）。
【００２１】
シャフト１２の両端に形成されている各雄ネジ１６（１６Ｒ，１６Ｌ）の近傍（雄ネジ１６（１６Ｒ，１６Ｌ）よりもシャフトの中心側の部分）には、スパナ等の工具を掛止するための掛止部１８が２個ずつ形成されている。なお、本実施例では、隣合う掛止部１８同士が互いに直交するように形成されている。
【００２２】
各掛止部１８の表面には、シャフト１２の回転方向を示す表示２０である矢印２０ａが設けられており、本実施例では矢印形状の凹部が採用されている（図３参照）。
【００２３】
なお、「シャフト１２の回転方向」とは、シャフト１２の両端に形成されている各雄ネジ１６（１６Ｒ，１６Ｌ）を羽子板１４内に螺入させるために必要なシャフト１２の回転方向のことをいう。
【００２４】
シャフト１２の回転方向を示す表示２０としての「矢印２０ａ（より具体的には、矢印形状の凹部）」を形成する方法としては、例えば、掛止部１８の表面をレーザー照射により掘削する方法や、矢印形状の凸部がその押圧面に形成されている金型を掛止部１８の表面に圧締・刻印する方法などが挙げられる。
【００２５】
矢印２０ａの方向（先鋭部分が向く方向）は、シャフト１２の両端に形成されている各雄ネジ１６（１６Ｒ，１６Ｌ）が羽子板１４内に螺入するために必要なシャフト１２の回転方向と一致している。
【００２６】
なお、本実施例では、シャフト１２の回転方向を示す表示２０としての矢印２０ａの具体的構成として「矢印形状の凹部」を挙げたが、このほかに、「矢印形状の凸部」や「矢印形状の塗装」等を採用することも可能である。ただし、「矢印形状の凸部」を採用した場合には、スパナ掛けするときに安定した当接面を確保できないのであまり実用的ではない。
【００２７】
各羽子板１４（１４Ｒ，１４Ｌ）は、鋼材などの高剛性材料からなる平面視略小判形状の部材であり、その中央部分には、図４に示すように、長手方向に延びる長孔２２とボルト取付用孔２４とがその長手方向に並んで形成されている。なお、図４には、図１における右側の羽子板１４Ｒが示されている。
【００２８】
各羽子板１４の長手方向一方端部（長孔２２が設けられている側の端部）は、厚肉となっており、この厚肉部分にシャフト１２の各雄ネジ１６を螺合するためのネジ孔２６（２６Ｒ，２６Ｌ）が形成されている。なお、シャフト１２の各雄ネジ１６を左右一対の羽子板１４のネジ孔２６（２６Ｒ，２６Ｌ）にそれぞれ螺合すると、長孔２２を通してシャフト１２が螺入している様子（すなわち、シャフト１２の螺入度合い）を確認することができる。つまり、長孔２２は、シャフト１２の螺入度合いを確認するための『確認窓』として機能することになる。
【００２９】
各羽子板１４における『確認窓』としての長孔２２の近傍には、シャフト１２の回転方向を示す表示２０としての矢印２０ａ（本実施例では、矢印形状の凸部が採用されている。）が形成されている。
【００３０】
なお、羽子板１４の表面に形成されている矢印２０ａの方向は、シャフト１２の表面に設けられている矢印２０ａと同じ方向、すなわち、シャフト１２の両端に形成されている各雄ネジ１６（１６Ｒ，１６Ｌ）が羽子板１４内に螺入するために必要なシャフト１２の回転方向と一致している。
【００３１】
本実施例の建物用筋交い１０を使用する際には、シャフト１２の両端に形成されている左・右雄ネジ１６（１６Ｒ，１６Ｌ）を左右一対の羽子板１４（１４Ｒ，１４Ｌ）の左・右ネジ孔２６（２６Ｒ，２６Ｌ）にそれぞれ螺合し、シャフト１２と各羽子板１４（１４Ｒ，１４Ｌ）とを相対的に回転させることによって建物用筋交い１０の全体の長さを所望の長さ（取付対象箇所に合わせた長さ）に調整する。
【００３２】
次に、図５に示すように、梁や柱（以下、「梁等２８」という。）の入隅にボルト留め或いは溶接その他の固定手段によって固定されたコーナー金具３０に羽子板１４をボルト・ナットなどの締結手段を用いて取り付け、羽子板１４を梁等２８に固定する。
【００３３】
以上のようにして建物用筋交い１０の取り付けが完了すると、最後に、シャフト１２を締め付け方向に回転させ、シャフト１２の両端に形成されている各雄ネジ１６（１６Ｒ，１６Ｌ）を羽子板１４内に螺進させる。すると、建物用筋交い１０の全長が短くなり、これにより建物用筋交い１０全体が緊張して前述のように梁等２８の強度が高められる。
【００３４】
ここで重要な点は、羽子板１４の表面およびシャフト１２の表面にシャフト１２の回転方向を示す表示２０である矢印２０ａが形成されている点である。つまり、作業者は、このシャフト１２の回転方向を示す表示２０（矢印２０ａ）を確認するだけでシャフト１２の回転方向を一見して把握でき、作業効率を大幅に高めることが可能となる。
【００３５】
スパナなどの工具を用いてシャフト１２を回転させるためには、作業者は工具を掛止部１８に掛止する必要がある。本実施例では、このシャフト１２の回転方向を示す表示２０（矢印２０ａ）がスパナ掛止用の掛止部１８の表面に設けられているので、作業者はスパナ掛けする際に必ず表示２０（矢印２０ａ）を目にすることとなり、シャフト１２の回転方向を簡単且つ確実に把握することができるのである。
【００３６】
また、建物用筋交い１０の長さを調整したり、シャフト１２を回転させて建物用筋交い１０全体を緊張させる際、作業者は必ず羽子板１４に設けられている確認窓２２を通してシャフト１２の螺入度合いを確認することとなる。本実施例では、この確認窓２２の近傍にシャフト１２の螺入方向を示す表示２０（矢印２０ａ）が設けられているので、作業者は、シャフト１２の螺入度合いを確認する際に必ず表示２０（矢印２０ａ）を目にすることとなり、シャフト１２の回転方向を簡単且つ確実に把握することができるのである。
【００３７】
なお、上述実施例では、シャフト１２と羽子板１４の両方に表示２０（矢印２０ａ）を形成するようにしていたが、何れか一方にだけ形成しても良い。また、各表示２０（矢印２０ａ）の数も１つに限定されるものではなく、同時に２つ以上形成するようにしても良い（図６は、シャフト１２の螺入方向を示す表示２０（矢印２０ａ）を羽子板１４の表面に２つ形成した例である）。
【００３８】
上述の第１実施例では、シャフト１２の螺入方向を示す表示２０の具体的構成として矢印２０ａを採用したが、これ以外の構成を採用することも可能である。
【００３９】
たとえば、図７に示すように、シャフト１２の回転軸３２の直上からシャフト１２の回転方向側にずれた位置に模様２０ｂを設け、これを「シャフト１２の回転方向を示す表示２０」としてもよい。なお、模様２０ｂの形状としては、図７（Ａ）に示すような丸形状、図７（Ｂ）に示す四角形状、或いは図７（Ｃ）に示す星形状などの幾何学模様がその一例として挙げられる。
【００４０】
この第２実施例においても、上述第１実施例と同様の作用効果、すなわち、施工業者はシャフト１２の回転方向を一見して把握でき、作業効率を大幅に高めることが可能となる。
【図面の簡単な説明】
【００４１】
【図１】本考案の一実施例(第１実施例)の建物用筋交いを示す正面図である。
【図２】シャフトを示す正面図である。
【図３】図２におけるＡ−Ｂ拡大図である。
【図４】（Ａ）羽子板を示す正面図である。（Ｂ）羽子板を示す平面図である。
【図５】建物用筋交いの取り付け方法を示す図である。
【図６】シャフトの螺入方向を示す表示の変形例である。
【図７】本考案の第２実施例を示す図である。
【符号の説明】
【００４２】
１０…建物用筋交い
１２…シャフト
１４…羽子板
１６…雄ネジ
１８…掛止部
２０…表示
２０ａ…矢印
２０ｂ…模様
２２…長孔
２４…ボルト取付用孔
２６…ネジ孔
【図１】
0003131604.tif 000003
【図２】
0003131604.tif 000004
【図３】
0003131604.tif 000005
【図４】
0003131604.tif 000006
【図５】
0003131604.tif 000007
【図６】
0003131604.tif 000008
【図７】
0003131604.tif 000009